【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
頭部ウェアラブル・デバイスであって、
概ね横方向にかつ第１の面に沿った弧に延出する中央支持体と、
中央フレーム支持体の第１の端部から延出するとともに第１の自由端で終端する第１の側部アームと、
前記中央支持体の第２の端部から延出するとともに第２の自由端で終端する第２の側部アームであって、前記中央支持体と第１及び第２の側部アームとは、それぞれ第１及び第２の側部アームに位置する前記第１の自由端と第２の自由端との間に延在するバンドとして構成され、第１及び第２の自由端は前記中央支持体から離れて、第１の距離で互いに離間して、前記バンドは前記第１の距離を選択的に増大させるように弾力的に変形可能である、第２の側部アームと、
ディスプレイ要素を介してユーザーに情報を提示するように構成された延長アームと
を備え、前記延長アームは第１及び第２の部分を含み、前記第２の部分はディスプレイ要素を含み、前記延長アームは前記中央支持体の第１の側における第１の側部アームに少なくとも部分的に沿って延出し、第１の側部アームからディスプレイ端へ更に延出し、そのディスプレイ端は前記中央支持体の第２の側部における位置に前記ディスプレイ要素を支持し、前記延長アームはその中に、前記ディスプレイ要素の運動のために構成されたジョイントを含み、前記第１及び第２の部分は、前記第１の面に垂直な方向で前記ジョイントを通って延出する軸に対してかつ前記ジョイントで互いに回転可能に取り付けられ、
前記延長アームの前記ジョイントは、前記運動が前記第１の面に実質的に平行な第２の面に沿ってかつ前記軸に対する前記ディスプレイ要素の回転を含むように構成され、
前記第１の側部アームの前記自由端は第２の側部アームの前記自由端に対して拡張されて、この拡張された自由端は、前記ディスプレイ要素により採用された回路と電源との少なくとも一方を収容し、
前記延長アームは、前記第２の側部アームに対面する内面を更に含み、前記デバイスは、前記デバイスの機能を制御するために前記内面に配置されたボタンを更に含み、前記機能は、ロック機能、スリープ機能及び電源状態機能の一つ又は複数である、デバイス。
【請求項２】
請求項１記載のデバイスにおいて、前記ディスプレイ要素の前記回転は、前記中央支持体に対して少なくとも横方向成分を有する方向におけるその平行移動も引き起こすデバイス。
【請求項３】
請求項１記載のデバイスにおいて、対応する可撓性を有する支持アームにより前記中央支持体へ取り付けられた一対の離間したパッドを更に含むデバイス。
【請求項４】
請求項１記載のデバイスにおいて、第１の側部アームは、前記中央支持体よりも比較的により剛であるデバイス。
【請求項５】
請求項１記載のデバイスにおいて、第１の距離を増大させる前記バンドの変形が、前記延長アームを第１の方向へ回転させると共に、前記ジョイントが、第１の方向と反対側の第２の方向への前記ディスプレイの回転を含む運動を可能にするように構成されているデバイス。
【請求項６】
請求項１記載のデバイスにおいて、前記バンドが、１．２  Ｎの最大力の下で少なくとも４０％まで第１の距離を増大させるために弾力的に変形するように構成されているデバイス。
【請求項７】
請求項１記載のデバイスにおいて、前記バンドが、約０．６  Ｎの最大力の下で少なくとも５０％まで第１の距離を増大させるために弾力的に変形するように構成されているデバイス。
【請求項８】
請求項１記載のデバイスにおいて、前記バンドは、柔軟な内側部分と弾力的な外側部分とを含み、前記弾力的な外側部分は、実質的に均一な構造であると共に、前記柔軟な内側部分は前記弾力的な外側部分を裏当てしているデバイス。
【請求項９】
請求項１記載のデバイスにおいて、第１の側部アームの前記端部は第２の側部アームの自由端に対して細長くされて非対称のＵ字形状を形成するデバイス。
【請求項１０】
請求項９記載のデバイスにおいて、
前記非対称のＵ字形状は、複数の接点をユーザーの頭部に与え、及び、
第１の側部アームの前記拡張された端部が、前記延長アームに対してバランシング・ウェイトを与えるデバイス。
【請求項１１】
請求項１記載のデバイスにおいて、前記拡張された端部は、外部デバイスを回路と電源との少なくとも一方に接続するための複数の電気的接点を含むデバイス。
【請求項１２】
請求項１１記載のデバイスにおいて、前記電気的接点は、前記拡張された端部の外面と実質的に面一であり、前記外面の一部によって離隔されているデバイス。
【請求項１３】
請求項１記載のデバイスにおいて、前記ジョイントは、前記延長アームの第１と第２の部分とを回転可能に接続し、第１の部分は第１の側部アームへ取り付けられ、かつ、第２の部分は前記ディスプレイ要素を含むデバイス。
【請求項１４】
請求項１３記載のデバイスにおいて、前記延長アームの第２の部分に配置されたカメラを更に含むデバイス。
【請求項１５】
ユーザーの頭部に着用するように構成されたウェアラブル・デバイス・アセンブリであって、
ディスプレイ要素を介して情報をユーザーに呈示するように構成された延長アームと、この延長アームから離間したハウジング・ユニットと、このハウジング・ユニットと前記延長アームとの間に延在する接続部材とを含むモジュールと、
第１の面に沿った弧に延伸する中央支持体と、前記中央支持体の第１の端部から延出する第１の側部アームと、前記中央支持体の第２の端部から延出する取り付けアームとを含む保持バンドとを備え、
前記モジュールは、前記接続部材を前記取り付けアームへ取り付けることにより前記保持バンドと組み立てられて、前記中央支持体の第２の端部から延出する第２の側部アームを規定するように構成され、
前記モジュールは、当該モジュールが前記保持バンドと組み立てられるかを判断するよう構成され、かつ、前記判断に応答して前記モジュールの一つ又は複数の設定を調節するよう構成された、アセンブリ。
【請求項１６】
請求項１５記載のアセンブリにおいて、前記延長アームはその中にジョイントを含み、第１の面に対して実質的に平行である第２の面で前記ディスプレイ要素の回転を可能にするアセンブリ。
【請求項１７】
請求項１５記載のアセンブリにおいて、前記保持バンドは、柔軟な内側部分と弾力的な外側部分とを含み、その弾力的な外側部分は、第１の側部アームの外面を規定する実質的に均一な構造であり、かつ、前記中央支持体の第２の端部から延出して前記取り付けアームを規定するアセンブリ。
【請求項１８】
請求項１５記載のアセンブリにおいて、前記保持バンドは、前記モジュールと保持部材とが一緒に組み立てられたときにユーザーの鼻に載せられるように構成されたノーズピースを含み、第１の側部アームは、第１の耳の近傍でユーザーの頭部の一部に接触するように構成され、第２の側部は第２の耳の近傍でユーザーの頭部の一部に接触するように構成され、かつ、前記ディスプレイ要素はユーザーの眼に隣接して配置可能であるアセンブリ。
【請求項１９】
請求項１５記載のアセンブリにおいて、前記保持バンドはその前記中央支持体へ取り付けられた第１のレンズ及び第２のレンズを含み、この第１及び第２のレンズはユーザーのそれぞれの眼の上に配置可能であり、組み立てられたとき、前記ディスプレイ要素はユーザーの眼の一方とは反対側の前記レンズの側において前記延長アームにより支持されるアセンブリ。
【請求項２０】
請求項１５記載のアセンブリにおいて、前記モジュールの前記一つ又は複数の設定は前記ディスプレイ要素の輝度を調節することを含むアセンブリ。
【請求項２１】
請求項１５記載のアセンブリにおいて、前記ディスプレイ要素は、透明ディスプレイ要素であり、前記透明ディスプレイは前記情報を周囲環境の視野の上に重ね合わせるアセンブリ。
【請求項２２】
頭部ウェアラブル・デバイスであって、
概ね横方向に延出する中央支持体と、
中央フレーム支持体の第１の端部から延出するとともに第１の自由端で終端する第１の側部アームと、
前記中央支持体の第２の端部から延出するとともに第２の自由端で終端する第２の側部アームであって、前記中央支持体と第１及び第２の側部アームとは、それぞれ第１及び第２の側部アームに位置する前記第１の自由端と第２の自由端との間に延在するバンドとして構成され、第１及び第２の自由端は前記中央支持体から離れて、第１の距離で互いに離間して、前記バンドは前記第１の距離を選択的に増大させるように弾力的に変形可能である、第２の側部アームと、
ディスプレイ要素を介してユーザーに情報を提示するように構成された延長アームと
を備え、前記延長アームは第１及び第２の部分を含み、前記第２の部分はディスプレイ要素を含み、前記延長アームは前記中央支持体の第１の側における第１の側部アームに少なくとも部分的に沿って延出し、第１の側部アームからディスプレイ端へ更に延出し、そのディスプレイ端は前記中央支持体の前記第１の側部における位置に前記ディスプレイ要素を支持し、前記延長アームはその中に、前記ディスプレイ要素の運動のために構成されたジョイントを含み、前記第１及び第２の部分は、前記第１の面に垂直な方向で前記ジョイントを通って延出する軸に対してかつ前記ジョイントで互いに回転可能に取り付けられ、
前記延長アームの前記ジョイントは、前記運動が前記第１の面に実質的に平行な第２の面に沿ってかつ前記軸に対する前記ディスプレイ要素の回転を含むように構成され、前記軸に対する前記ディスプレイ要素の前記回転は、前記中央支持体に対して少なくとも横方向成分を有する方向におけるその平行移動も引き起こし、
前記第１の側部アームの前記自由端は第２の側部アームの前記自由端に対して拡張されて、この拡張された自由端は、前記ディスプレイ要素により採用された回路と電源との少なくとも一方を収容する、デバイス。
【請求項２３】
請求項２２記載のデバイスにおいて、前記バンドは、柔軟な内側部分と弾力的な外側部分とを含み、前記弾力的な外側部分は、実質的に均一な構造であると共に、前記柔軟な内側部分は前記弾力的な外側部分を裏当てしているデバイス。
【請求項２４】
請求項２２のデバイスにおいて、前記軸に対する前記ディスプレイ要素の前記回転は、前記中央支持体に対して少なくとも横方向成分を有する方向におけるその平行移動も引き起こすデバイス。